(57)【要約】【課題】厚紙製のカートンに置き換わる、廃棄性が良い新たな医薬品用包装袋を提供する。【解決手段】医薬品用包装袋１は、紙面状の包装材２０を筒状に固着してその両端２Ａ、２Ｂの上下を合わせて固着する形で形成され、内部に医薬品９が封入される包装袋２と、包装袋２の少なくとも主表面２ａに貼付されるラベル３と、を備えて形成される。包装袋２及びラベル３に形成される切り込み線２Ｋ、３Ｋよりも一端２Ａ、３Ａ側を押し込むことにより、切り込み線２Ｋ、３Ｋに沿って引き裂かれ、包装袋２が開封状態となるが、切り込み線２Ｋの非形成側は、つながったままとなる。【選択図】図１０
2019218121.tif 000002
【特許請求の範囲】
【請求項１】
紙面状の包装材を筒状に固着してその両端の上下を合わせて固着する形で形成され、内部に医薬品が封入される包装袋と、前記包装袋の少なくとも主表面に貼付されるラベルと、を備え、
前記包装袋は、前記両端のうちの一端側において自身の前記一端側と中央側との切り離しを容易にするための袋側切り込み線を有するとともに、前記袋側切り込み線は、少なくとも前記主表面をなす上面に形成され、かつ該上面を含む外周のうち該上面を除く残余面の少なくとも一部において非形成とされ、
前記ラベルは、前記袋側切り込み線の直上又はその近接領域において自身の前記一端側と前記中央側との切り離しを容易にするためのラベル側切り込み線を有し、
前記包装袋及び前記ラベルは、前記袋側切り込み線及び前記ラベル側切り込み線よりも前記一端側を押し込むことにより、前記袋側切り込み線と前記ラベル側切り込み線とに沿って引き裂かれ、前記包装袋が開封状態となる一方、その開封状態における前記包装袋は、前記袋側切り込み線の非形成側がつながったままとなることを特徴とする医薬品用包装袋。
【請求項２】
前記包装袋は遮光性を有し、
前記袋側切り込み線と前記ラベル側切り込み線とのうちの一方が前記一端側、他方が前記中央側にずれ、前記袋側切り込み線上に前記ラベルが位置している請求項１に記載の医薬品用包装袋。
【請求項３】
前記袋側切り込み線が前記一端側、前記ラベル側切り込み線が前記中央側にずれている請求項２に記載の医薬品用包装袋。
【請求項４】
前記包装袋は、前記一端側と前記中央側とを切り離す切り離し方向に対する直交方向の少なくとも一端側に上下に立ち上がる側面を有しており、
前記袋側切り込み線と前記ラベル側切り込み線とは、前記主表面をなす上面から続く形で前記側面の下端まで形成されている請求項１ないし請求項３のいずれか１項に記載の医薬品用包装袋。
【請求項５】
前記袋側切り込み線と前記ラベル側切り込み線とは、前記直交方向側に断続的に延出し、その直交方向の内側に比べ両端側が前記一端側に位置する曲線状をなしている請求項１ないし請求項４のいずれか１項に記載の医薬品用包装袋。
【請求項６】
前記袋側切り込み線は、前記直交方向側に延びる外向き延出部を有した切り込みが断続的に続く形で形成され、それら切り込みのうち前記直交方向の外側のものについては、各々の前記外向き延出部の前記直交方向の内側端から前記一端側に延び出すとともに、隣接する別の切り込みの外向き延出部の外側端から前記一端側へ向かう延長線と交差する向きに延び出す内向き延出部を有して形成される請求項１ないし請求項５のいずれか１項に記載の医薬品用包装袋。
【請求項７】
前記ラベルは、前記ラベル側切り込み線とは別に分離ラベル用切り込み線を有し、分離ラベル用切り込み線に囲まれる分離領域が、接着可能な分離ラベルとして分離可能とされている請求項１ないし請求項６のいずれか１項に記載の医薬品用包装袋。
【発明の詳細な説明】
【技術分野】
【０００１】
本発明は、医薬品用包装袋に関する。
【背景技術】
【０００２】
アンプル製剤等の特定の製剤では、手術や緊急医療時にカートン単位で持込まれ、一度に５〜１０本単位でアンプルを使用するケースがある。このため、カートン（厚紙製の箱：例えば特許文献１）の廃棄量は非常に多い。
【０００３】
【特許文献１】特開２００５−２０６１６７号公報
【発明の開示】
【発明が解決しようとする課題】
【０００４】
このような医薬品用のカートンには、廃棄の際にかさばるという問題がある。カートンは、内容物を取り出した後、内部空間がそのまま残るため、そのまま廃棄されると非常にかさばる。また、厚紙性であるため、つぶして捨てればある程度の解消を見込めるものの、つぶすという手間がかかるし、また、つぶしたとしても元の形状に復帰しやすく、完全につぶしきることも難しい。このように、現状では、医薬品をカートン単位で使用するオペ室等で、上述のようなカートンの廃棄性の悪さが問題となっている。
【０００５】
本発明の課題は、厚紙製のカートンに置き換わる、廃棄性が良い新たな医薬品用包装袋を提供することにある。
【課題を解決するための手段および発明の効果】
【０００６】
上記課題を解決するために本発明の医薬品用包装袋は、
紙面状の包装材を筒状に固着してその両端の上下を合わせて固着する形で形成され、内部に医薬品が封入される包装袋と、前記包装袋の少なくとも主表面に貼付されるラベルと、を備え、
前記包装袋は、前記両端のうちの一端側において自身の前記一端側と中央側との切り離しを容易にするための袋側切り込み線を有するとともに、前記袋側切り込み線は、少なくとも前記主表面に形成され、かつ該主表面を含む外周面のうち該主表面を除く残余面の少なくとも一部において非形成とされ、
前記ラベルは、前記袋側切り込み線の直上又はその近接領域において自身の前記一端側と前記中央側との切り離しを容易にするためのラベル側切り込み線を有し、
前記包装袋及び前記ラベルは、前記袋側切り込み線及び前記ラベル側切り込み線よりも前記一端側を押し込むことにより、前記袋側切り込み線と前記ラベル側切り込み線とに沿って引き裂かれ、前記包装袋が開封状態となる一方、その開封状態における前記包装袋は、前記袋側切り込み線の非形成側がつながったままとなることを特徴とする。
【０００７】
上記本発明によれば、従来の厚紙製のカートンに代わって、フィルム等の薄い紙面状の包装材からなる包装袋に医薬品を収容できる。このため、厚紙製のカートンのように形状を保つ能力や形状復帰する能力が強くないため、上から押し付ければ容易につぶれ、ごみ箱の中でかさばるようなことはない。また、カートンの表面上に印刷された表示情報は、ラベルを貼付することよって包装袋上に表示することができるから、表示性能面において劣ることもない。さらにいえば、上記本発明の包装袋は、紙面状の包装材を筒状に固着してその両端の上下を合わせて固着する形で形成されるから、上面の面積を広く確保することができ、上面に広面積のラベルを貼付できる。このため、見やすい大きさの文字表示や多情報の表示が可能となる。また、ラベルが貼付された状態の包装袋は、主表面の一端側を押し込むことで包装袋の切り込み線に沿って容易に切り離すことができ、これにより内容物を容易に取り出せる。この切り込み線は、包装袋の主表面に形成されるが、その主表面を含む外周面に一部において非形成とされているから、一端側が完全分離することはなく、つながったままになるので、捨てやすい。
【０００８】
上記本発明において、前記包装袋は遮光性を有し、前記袋側切り込み線と前記ラベル側切り込み線とのうち一方が前記一端側、他方が前記中央側にずれ、前記袋側切り込み線上に前記ラベルが位置するようにできる。遮光性の包装袋を形成するにあたって、紙面状の包装材を貫通して形成される切り込み線は入光部となりうるが、上記構成によれば、その切り込み線上にラベルが重なって位置するため、切り込み線からの入光を確実に防ぐことができる。この場合、前記袋側切り込み線が前記一端側、前記ラベル側切り込み線が前記中央側にずれていれば、前記ラベルを押して開封する際に、押し込む力が前記袋側により確実に伝わるため、容易かつ確実に開封できる。また、前記袋側切り込み線が前記一端側、前記ラベル側切り込み線が前記中央側にずれていれば、開封時に前記ラベルのカット先端部が前記袋のカット先端部よりも飛び出た状態となるため、再度元に戻した場合でも変わらぬ遮光性が期待できる。
【０００９】
上記本発明において、前記包装袋は、前記一端側と前記中央側との切り離し方向に対する直交方向の少なくとも一端側に上下に立ち上がる側面を有しており、前記袋側切り込み線と前記ラベル側切り込み線とは、前記主表面をなす上面から続く形で前記側面の下端まで形成されるようにできる。これにより、一端側と中央側とを切り離した際に、主表面だけでなく、側面側も切り離されるから、内容物をより容易に取り出すことができる。一方、主表面の裏の主裏面に切り込み線が非形成とされることで、一端側の完全分離を確実に阻止することができる。
【００１０】
上記本発明において、前記袋側切り込み線と前記ラベル側切り込み線とは、前記直交方向側に断続的に延出し、その直交方向の内側側に比べ両端側が前記一端側に位置する曲線状をなすようにできる。包装袋に上記切り離し方向に直交する側に延びる切り込み線が形成されていたとしても、包装袋の一端側を押し込んだとき、その切り込み線に沿って切り離されるのではなく、切り離し方向に向かって直線的に裂けてしまい、前記直交方向の端部まで切り離しが続かない可能性がある。ところが、上記のような曲線状の切り込み線とすれば、包装袋の一端側を押し込んだ際に、切り込み線を形成するある切り込みの外側から、切り離し方向に向かって直線的に裂けそうになっても、次の切り込みが一端側に位置していることで次の切り込みへとつながりやすい。このため、切り込み線に沿った切り離しが続きやすい。
【００１１】
上記本発明において、前記袋側切り込み線は、前記直交方向側に延びる外向き延出部を有した切り込みが断続的に続く形で形成され、それら切り込みのうち前記直交方向の外側のものについては、各々の前記外向き延出部の前記直交方向の内側端から前記一端側に延び出すとともに、隣接する別の切り込みの外向き延出部の外側端から前記一端側へ向かう延長線と交差する向きに延び出す内向き延出部を有して形成できる。包装袋の一端側を押し込んだときに、上記の直交方向側に延びる切り込み線に沿って切り離されるのではなく、ある切り込みの外側から切り離し方向に向かって直線的に裂けてしまったとしても、次の切り込みの内向き延出部がこれを確実に受け止めることができる。このため、次の切り込みに確実につなぐことができ、前記直交方向の端部まで切り離しが確実に続くようにできる。
【００１２】
また、前記内向き延出部は、前記直交方向の内側から、当該内側で隣接する別の切り込みの外向き延出部と略平行となるよう向きを変えて延出する内側端部を有して形成してもよい。この場合、包装袋の一端側を押し込んだ際に、ある切り込みの外側から切り離し方向に裂けても、次の切り込みの内側端部がより確実に受け止めることができる。このため、次の切り込みに確実につなぐことができる。
【００１３】
なお、ラベル側切り込み線についても、上記のような内向き延出部を有したもの、さらには上記のような内側端部を有したものとしてもよい。これにより、ラベル側の切り離しが、袋側の切り離しに追従しやすくなる。
【００１４】
上記本発明における前記ラベルは、前記ラベル側切り込み線とは別に分離ラベル用切り込み線を有し、分離ラベル用切り込み線に囲まれる分離領域が、接着可能な分離ラベルとして分離可能とすることができる。これにより、ラベルの表示情報を、分離ラベルによって別の場所にも容易に表示させることができる。本発明における包装袋は、広面積のラベルを貼付することができるから、分離ラベルも大型のものを設けることが可能となる。
【００１５】
なお、本発明において遮光性を有するとは、所定期間において容器の内容物の変化が予め定められた基準レベル以下に抑えられるよう、特定の波長の光の侵入が抑制された状態のことをいう。必ずしも特定の波長の光が完全に遮断される必要は無い。
【図面の簡単な説明】
【００１６】
【図１】本発明の第一実施例をなす医薬品用包装袋を形成するための、ラベルが貼付された包装材を示した平面図。
【図２】図１の包装材を筒状にした状態を示した斜視図。
【図３】本発明の第一実施例をなす医薬品用包装袋の斜視図。
【図４】図１の包装材を示した平面図。
【図５】図４のＶ部拡大図。
【図６】図１のラベルを示した平面図。
【図７】図６のラベルの裏側を示した底面図。
【図８】図３の医薬品用包装袋の開封方法を示した斜視図。
【図９】図８に続く図。
【図１０】図３の医薬品用包装袋の開封状態を示した斜視図。
【図１１】本発明の第二実施例をなす医薬品用包装袋を形成するための、ラベルが貼付された包装材を示した平面図。
【図１２】本発明の第二実施例をなす医薬品用包装袋の斜視図。
【図１３】図１１の包装材を示した平面図。
【図１４】図１３のＸＩＶ部拡大図。
【図１５】図１１のラベルを示した平面図。
【図１６】図１５のラベルの裏側を示した底面図。
【図１７】図３の医薬品用包装袋の開封方法を示した斜視図。
【発明を実施するための形態】
【００１７】
以下、本発明の医薬品用包装袋の第一実施例を、図面を参照して説明する。
【００１８】
第一実施例の医薬品用包装袋１は、図３に示すように、包装袋２と、包装袋２の少なくとも主表面２ａに貼付されたラベル３と、を備える。包装袋２は、図１に示す紙面状（紙のような平面状）の包装材２０を、熱圧着等によって端部を固着して図２に示すような筒状にし、さらに、その筒状の両端２Ａ、２Ｂの上下を合わせて熱圧着等によって固着することにより、図３に示すような袋状に形成される。なお、本実施例では、図１の包装材２０の状態で既にラベル３が貼付されているが、本発明では、包装材が袋状に形成された後にラベル３が貼付される等、他の手法を排除するものではない。
【００１９】
包装材２０は、厚さ１００μｍ以下、より望ましくは８０μｍ以下の薄い紙面状の材料からなる。また、ここでの包装材２０は遮光性を有しており、包装袋２の内部に封入される医薬品９への入光を妨げている。ここでの包装材２０は、厚さ約５０μｍのアルミ製のフィルムとされているが、厚紙よりも形状復帰能力の劣る別の材料（例えば薄紙やポリエチレンテレフタラート、ポリプロピレン等）を用いてもよい。遮光性についても必ずしも必須ではない。
【００２０】
医薬品９は、図３の医薬品用包装袋１の包装袋２内に封入され、図１０に示すように開封されることで取り出し可能となる。ここでの医薬品９は、図２の筒状となった段階で袋内部に配置され、熱圧着等による両端２Ａ、２Ｂの固着により袋内部に封入される。なお、本実施例の医薬品９の本体は、図１０に示すように、アンプルやバイアルなどの医薬品容器９０内に収容された液薬である。医薬品容器９０は、緩衝材をなす波状のロンドレーション８０の各凹部にそれぞれ収容され、ロンドレーション８０ごと包装袋２の内部に封入される。なお、本発明における包装袋２内への医薬品の封入形態については、本実施例以外の形態であってもよい。例えば医薬品が錠剤等であれば、アンプルやバイアルのような容器を用いない形態であってもよい。
【００２１】
包装袋２は、図３に示す固着される両端２Ａ、２Ｂのうちの一端２Ａ側において、その一端２Ａ側と中央部２Ｃ側との切り離しを容易にするための切り込み線２Ｋ（袋側切り込み線：図４参照）を有する。ここでは、図４に示すように、袋状にされる前の包装材２０の状態で切り込み線２Ｋが予め形成されており、その状態から図１に示すようにラベル３が貼付され、図３に示すような袋状にされる。
【００２２】
切り込み線２Ｋは、図３に示すように、少なくとも包装袋２の主表面をなす上面２ａに形成される一方、該上面２ａを含む包装袋２の外周２ａ，２ｂ，２ｃ，２ｄのうち該上面２ａを除く残余面の一部において、切り込み線２Ｋは非形成とされている。ここでの切り込み線２Ｋは、包装袋２の上面２ａのみに形成され、側面２ｂ，２ｃ及び下面２ｄには非形成とされている。
【００２３】
ラベル３は、いわゆるタックラベルであり、図６及び図７に示すように、遮光性を有した有色かつ不透明なポリプロピレン製のラベル基材３０（図６に示すラベル３の表面参照）と、ラベル基材３０の裏側全体に糊等の接着剤又は粘着剤により形成される接着層３１（図７に示すラベル３の裏面参照）と、を一体に有する。ラベル３は、図４に示す紙面状の包装材２０において、袋状の包装袋２となったときの上面２ａと一側面２ｂとの中央部２Ｃ側を広く被覆するように、接着層３１によって包装材２０の表面の所定領域（図１参照）に貼付される。なお、ラベル３には、紙製やポリエチレンテレフタラート製等の他の材料のラベル基材３０を用いることもできる。
【００２４】
また、ラベル３は、図３に示す包装袋２の両端２Ａ、２Ｂのうちの一端２Ａ側に対応する側となる一端３Ａ側において、その一端３Ａ側とラベル中央部３Ｃ側（中央側）との切り離しを容易にするための切り込み線３Ｋ（ラベル側切り込み線：図６及び図７参照）を有する。この切り込み線３Ｋは、図１に示すように、包装袋２の切り込み線２Ｋの直上又はその近接領域において形成される。ここでの切り込み線３Ｋは、包装袋２に貼付される前に予め形成され、その状態から包装袋２に貼付される。
【００２５】
切り込み線３Ｋは、図３のようにラベル３が包装袋２（包装材２０）に貼付された状態において、切り込み線２Ｋに対しずれて位置する（図１参照）。ここでは、切り込み線２Ｋと切り込み線３Ｋとのうち、一方が一端２Ａ、３Ａ側、他方が中央部２Ｃ、３Ｃ側にずれている。このため、切り込み線２Ｋ上にラベル３が位置し、切り込み線２Ｋがラベル３に被覆された状態となっている。切り込み線２Ｋは、包装袋２を貫通する形で形成されているため、外部からの光の入光部となりうるが、ラベル３に覆われていることで、その入光を防ぐことができる。具体的には、切り込み線２Ｋが包装袋２の一端２Ａ側、切り込み線３Ｋがラベル３の中央部３Ｃ側へと互いにずれている。
【００２６】
また、ラベル３は、図１〜図３に示すように、切り込み線３Ｋとは別の切り込み線３００Ｋ（分離ラベル用切り込み線）を有する。この切り込み線３００Ｋに囲まれる領域（分離領域）は、図１０に示すように剥離可能で、かつ剥離後に再接着可能な分離ラベル３００として使用できる。分離ラベル３００は、ラベル３が包装材２０や包装袋２に貼付された状態で、切り込み線３００Ｋに沿って剥離可能であり、ラベル３の一端３Ａ側とは逆の他端３Ｂ側の端部において、分離ラベル３００の剥離を開始するためのつまみ部３００Ｕを有し、そのつまみ部３００Ｕから一端３Ａ側へと剥離させる形で、ラベル３からの分離・切り離しが可能となっている。
【００２７】
ラベル３の接着層３１は、図７に示すように、所定領域において接着力を残余領域よりも低下させる所定の接着力低下処理が施された領域（接着力低下領域：図７の一点鎖線による斜線領域）を有する。当該領域は、本実施例においては、つまみ部３００Ｕの裏側を含むつまみ裏側領域３１ＵＴと、切り込み線３Ｋを含む切り込み線裏側周辺領域３１ＡＴと、に形成されている。
【００２８】
次に、医薬品用包装袋１の開封方法を説明する。
【００２９】
包装袋２にラベル３が貼付されてなる医薬品用包装袋１は、図８に示すように、切り込み線２Ｋ、３Ｋよりもそれらの一端２Ａ、３Ａ側となる領域を下方向Ｚに押し込むことにより、包装袋２及びラベル３がそれぞれ対応する切り込み線２Ｋ、３Ｋに沿って引き裂かれ、これにより開封状態（第一開封状態：図８参照）となる。その上で、さらに図９に示すように、一端２Ａ、３Ａ側（Ｘ方向）へと引っ張ることで、包装袋２の側面２ｂ、２ｃ及びラベル３の側面部３ｂが下端まで裂けて、より開口の広い開封状態（第二開封状態：図９参照）となる。なお、図９の場合は、手を下向きにひねる形で、医薬品用包装袋１の一端２Ａ、３Ａ側を一端２Ａ、３Ａ側（Ｘ方向）へと引っ張っている。そして、それらの開封状態における包装袋２は、切り込み線２Ｋの非形成（ここでは少なくとも下面２ｄ）側がつながったまま残っている。
【００３０】
ところで、本実施例の包装袋２は、一端２Ａ側と中央部２Ｃ側とを切り離す切り離し方向Ｘへの直線カット性が、その切り離し方向Ｘに対する直交方向Ｙよりも優れるよう製造されている。つまり、本実施例の包装袋２は、切り離し方向Ｘに向かって直線的に裂けやすい。したがって、開封時に、上記直交方向Ｙ側に延びる切り込み線２Ｋに沿って切り離されていくのではなく、途中で切り離し方向Ｘに向かって直線的に裂けてしまう恐れがある。このように本実施例の包装袋２は、切り離し方向Ｘへの方が上記直交方向Ｙに比べて切り離しやすくなっているため、切り込み線２Ｋが以下のように形成されている。
【００３１】
即ち、本実施例の切り込み線２Ｋは、図４に示すように、上記直交方向Ｙの内側に比べ両端側が一端２Ａ側に位置する曲線状をなす形で、該直交方向Ｙ側に断続的に延びるよう形成されている。具体的にいえば、切り込み線２Ｋは、上記直交方向Ｙの外側ほど一端２Ａ側に位置するよう、複数の切り込み２ｋが曲線状に並ぶ形で形成されている。これにより、包装袋２は、切り込み線２Ｋの一端２Ａ側が下方に押し付けられた際に、ある切り込み２ｋから一端２Ａ側に向けて直線的に裂けそうになっても（図５の破線２ｉ参照）、次の切り込み２ｋが一端２Ａ側に位置しているためこれを受け止めやすく、裂ける方向が次の切り込み２ｋへとつながっていきやすい。そして、これを繰り返すことにより、切り込み線２Ｋに沿って切り離すことができる。
【００３２】
また、本実施例の切り込み線２Ｋにおいては、図５に示すように、上記直交方向Ｙの内側中央の切り込み２ｋ（ここでは図４の中央の２つ）については、上記直交方向Ｙ側に延びる外向き延出部２ｋ１のみによって形成され、上記直交方向Ｙの外側の切り込み２ｋについては、上記直交方向Ｙ側に延びる外向き延出部２ｋ１と、その外向き延出部２ｋ１の直交方向Ｙの内側から向きを変えて延びる内向き延出部２ｋ２を有して形成されている。この内向き延出部２ｋ２は、上記直交方向Ｙの内側で隣接する別の切り込み２ｋの外向き延出部２ｋ１に対し、その一端２Ａ側の領域２ｊ（図５のドット領域）に向かって延びている。具体的にいえば、内向き延出部２ｋ２は、各切り込み２ｋにおいて各々の外向き延出部２ｋ１の上記直交方向Ｙの内側端から一端２Ａ側に延び出すとともに、当該内側にて隣接する別の切り込み２ｋの外向き延出部２ｋ１の上記直交方向Ｙの外側端から一端２Ａ側へ向かう延長線２ｉと交差する向き２ｈに延び出している。このため、切り込み線２Ｋの一端２Ａ側が下方に押し付けられた際、ある切り込み２ｋから一端２Ａ側に向けて直線的に裂けそうになっても、隣接する切り込み２ｋがこれを一端２Ａ側で受け止め、再び切り込み線２Ｋに沿った方向へと裂けていくよう誘導できる。より具体的にいえば、ある切り込み２ｋから一端２Ａ側に向けて直線的（図５の破線２ｉ参照）に裂けたときに、その直線方向の先に次の切り込みの内向き延出部２ｋ２が近接して位置するため、裂ける方向がその内向き延出部２ｋ２付近で、該内向き延出部２ｋ２側に接近する方向へと向きを変えて該内向き延出部２ｋ２につながり、再び切り込み線２Ｋに沿った方向へと裂けていくように誘導される。
【００３３】
さらに本実施例における内向き延出部２ｋ２は、図５に示すように、上記直交方向Ｙの内側から、当該内側で隣接する切り込み２ｋの外向き延出部２ｋ１と略平行となるよう向きを変えて延出する内側端部２ｋ２０を有して形成されている。このため、ある切り込み２ｋから一端２Ａ側に向けて直線的（図５の破線２ｉ参照）に裂けそうになっても、内側端部２ｋ２０が存在することでより受け止めやすくなっている。ここでの上記直交方向Ｙの外側の切り込み２ｋは、外向き延出部２ｋ１の上記直交方向の外側が一端２Ａ側に位置するような傾斜形状（ここでは傾斜曲線形状）を有しており、内側端部２ｋ２０もこの外向き延出部２ｋ１と平行となる方向へと延びている。
【００３４】
ラベル３の切り込み線３Ｋについては、包装袋２の切り込み線２Ｋに対し位置がずれて形成されているものの、切り込み線２Ｋと同様の形状の切り込み３ｋによって形成することができる。ここでの切り込み３ｋは、図６に示すように、切り込み線２Ｋと同様の曲線状に並ぶ形で形成されるとともに、上記直交方向Ｙの外側の切り込み３ｋが、切り込み線２Ｋにおける外向き延出部２ｋ１と内向き延出部２ｋ２とに相当する形状を有して形成されている。ただし、ラベル３には、上述の直線カット性のような性質が存在していないため、ラベル３の切り込み３ｋに、切り込み２ｋにおける内向き延出部２ｋ２や内側端部２ｋ２０に相当する部分は存在していても存在していなくてもよい。
【００３５】
以上、本発明の第一実施例を説明したが、これはあくまでも例示にすぎず、本発明はこれに限定されるものではない。例えば上記第一実施例において一部の構成要件を省略する、さらには他の構成要件を追加する等、当業者の知識に基づく種々の変更が可能である。
【００３６】
以下、上記第一実施例とは異なる別の実施例や変形例について説明する。なお、上記第一実施例と共通の機能を有する部位には同一符号を付して詳細な説明を省略する。また、上記第一実施例と下記例とは、技術的な矛盾を生じない範囲において適宜組み合わせて実施できる。
【００３７】
本発明の第二実施例の医薬品用包装袋１を、図１１〜図１７用いて説明する。
【００３８】
第二実施例の医薬品用包装袋１は、第一実施例と同様、図１１に示すようなラベル３の貼付された薄い紙面状の包装材２０を筒状にし、その筒状の両端２Ａ、２Ｂの上下を合わせて熱圧着等によって固着することにより、図１２に示すような袋状に形成される。
【００３９】
包装袋２の切り込み線２Ｋについては、上面２ａにおいて上記直交方向Ｙ側に延びるよう形成される点（図１２参照）や、ラベル３の切り込み線３Ｋに対し位置がずれて形成されている点（図１１参照）等が、第一実施例と共通である。
【００４０】
また、包装袋２に貼付されるラベル３の切り込み線３Ｋについては、切り込み線３００Ｋ（分離ラベル用切り込み線）によって分離ラベル３００を設ける点（図１５参照）、接着力低下処理が施された領域３１ＡＴ、３１ＵＴ（接着力低下領域：図１６の一点鎖線による斜線領域）を設ける点等が、第一実施例と共通である。
【００４１】
ところが、第二実施例の医薬品用包装袋１では、包装袋２の一端２Ａ側と中央部２Ｃ側とを切り離す切り離し方向Ｘに対し直交する直交方向Ｙの両端側に、上下に立ち上がる側面２ｂ、２ｃを有しており、包装袋２の切り込み線２Ｋが、上面２ａから側面２ｂの下端まで続く形で形成されている点が、第一実施例と異なる。また、ラベル３の切り込み線３Ｋについても、包装袋２の上面２ａ側から側面２ｂ側の下端位置まで続く形で形成されている点が第一実施例と異なる。第二実施例では、切り込み線２Ｋ、３Ｋが上面２ａ側から側面２ｂ側の下端まで形成されていることで、図１７に示すように、医薬品用包装袋１の上面２ａにおける切り込み線２Ｋ，３Ｋよりも一端２Ａ、３Ａ側となる領域を下方向Ｚに（より望ましくは右斜め下方に）押し込むだけで、包装袋２の上面２ａだけでなく、側面２ｂの下端までが切り離され、より大きな開口を容易に形成することができる。
【００４２】
また、第二実施例の切り込み線２Ｋは、図１３に示すように、上記直交方向Ｙの内側中央領域において、上記直交方向Ｙの内側に比べ両端側が一端２Ａ側に位置する曲線状をなす形で、該直交方向Ｙ側に断続的に延びている。つまり、上記中央領域において、切り込み線２Ｋは、上記直交方向Ｙの外側ほど一端２Ａ側に位置するよう、複数の切り込み２ｋが曲線状に並ぶ形で形成される。これにより、切り込み線２Ｋに沿った切り離しが可能になっている。なお、切り込み線２Ｋは、上記中央領域よりも上記直交方向Ｙの外側となる外側領域では、上記直交方向Ｙに向かって直線的に延出している。
【００４３】
また、第二実施例の切り込み線２Ｋについては、図１４に示すように、曲線状に並ぶ切り込み２ｋのうち、頂部に位置する上記直交方向Ｙの内側の切り込みを除く外側の切り込み２ｋが、第一実施例と同様、上記直交方向Ｙ側に延びる外向き延出部２ｋ１と、その外向き延出部２ｋ１の直交方向Ｙの内側から向きを変えて延びる内向き延出部２ｋ２を有して形成されている。ただし、第二実施例の内向き延出部２ｋ２には、第一実施例における内側端部２ｋ２０の形状に相当する部分は存在しておらず、内側端部２ｋ２０を含めて全体が直線状をなしている。また、その内側端部２ｋ２０は、図１４に示すように、上記直交方向Ｙの内側で隣接する切り込み２ｋの外向き延出部２ｋ１に対し、その一端２Ａ側で対向する位置（領域２ｊ）まで回り込む形で位置している点が、第一実施例と異なっている。これにより、ある切り込み２ｋから一端２Ａ側に向けて直線的に裂けそうになったときに（図１４の破線２ｉ参照）、これをより確実に受け止めることが可能となっている。これは、上記中央領域だけでなく、上記外側領域においても同様である。
【符号の説明】
【００４４】
１  医薬品用包装袋
２  包装袋
２Ｋ  切り込み線（袋側切り込み線）
２ｋ  切り込み
２ｋ１  外向き延出部
２ｋ２  内向き延出部
２ｋ２０  内側端部
２Ａ  包装袋の一端
２Ｃ  包装袋の中央部
２０  包装材
３  ラベル
３Ｋ  切り込み線（ラベル側切り込み線）
３００  分離ラベル
３００Ｋ  分離ラベル用切り込み線
９  医薬品
Ｘ  切り離し方向
Ｙ  切り離し方向に対する直交方向
【図１】
2019218121.tif 000003
【図２】
2019218121.tif 000004
【図３】
2019218121.tif 000005
【図４】
2019218121.tif 000006
【図５】
2019218121.tif 000007
【図６】
2019218121.tif 000008
【図７】
2019218121.tif 000009
【図８】
2019218121.tif 000010
【図９】
2019218121.tif 000011
【図１０】
2019218121.tif 000012
【図１１】
2019218121.tif 000013
【図１２】
2019218121.tif 000014
【図１３】
2019218121.tif 000015
【図１４】
2019218121.tif 000016
【図１５】
2019218121.tif 000017
【図１６】
2019218121.tif 000018
【図１７】
2019218121.tif 000019